(57)【要約】【課題】リサイクルトナーを用いて印刷する場合であっても、網掛けやハッチングパターンの違いが分かりやすいように印刷する。【解決手段】モード指定部１がドラフト印刷を指定していた場合、領域抽出部２は、入力画像データ中の網掛けやハッチング領域を示す描画命令を抽出し、パターン処理部３は、抽出された網掛けやハッチング領域の描画命令を除去し、リサイクルトナーで形成する、識別性の高い新たなハッチングパターンの描画命令を付加する。パターン生成部４は、抽出された領域に新たなハッチングパターンを生成する。【選択図】図１
2013015709.tif 000002
【特許請求の範囲】
【請求項１】
リサイクルトナーを含む複数の色材により画像データを印刷する画像形成装置において、前記画像データを印刷する印刷モードがドラフト印刷または省トナー印刷である場合、前記画像データから第１のパターンを描画する第１の描画命令を抽出する抽出手段と、前記抽出された第１の描画命令を、前記リサイクルトナー用の第２のパターンを描画する第２の描画命令に変換する処理手段と、前記第２の描画命令に基づいて前記リサイクルトナー用の複数のパターンを生成する生成手段と、前記生成された複数のパターンを、前記リサイクルトナーを用いて前記ドラフト印刷または省トナー印刷する印刷手段を備えたことを特徴とする画像形成装置。
【請求項２】
前記リサイクルトナー用の複数のパターンは、それぞれ異なる傾斜角度を有しかつ所定の線幅の周期的な直線のパターンであることを特徴とする請求項１記載の画像形成装置。
【請求項３】
前記第１の描画命令は、網掛け、ハッチングを含むパターン描画命令であり、前記処理手段は、前記第１の描画命令を削除した後、前記第２の描画命令として、リサイクルトナー用のパターン描画命令を付加することにより、前記第１の描画命令を第２の描画命令に変換することを特徴とする請求項１記載の画像形成装置。
【請求項４】
前記第１の描画命令は、図形描画命令と塗りつぶし命令の組であり、前記処理手段は、前記第１の描画命令に、前記第２の描画命令として、色毎に異なるリサイクルトナー用のパターン描画命令を付加することにより、前記第１の描画命令を第２の描画命令に変換することを特徴とする請求項１記載の画像形成装置。
【請求項５】
リサイクルトナーを含む複数の色材により画像データを印刷する画像形成方法において、前記画像データを印刷する印刷モードがドラフト印刷または省トナー印刷である場合、前記画像データから第１のパターンを描画する第１の描画命令を抽出する抽出工程と、前記抽出された第１の描画命令を、前記リサイクルトナー用の第２のパターンを描画する第２の描画命令に変換する処理工程と、前記第２の描画命令に基づいて前記リサイクルトナー用の複数のパターンを生成する生成工程と、前記生成された複数のパターンを、前記リサイクルトナーを用いて前記ドラフト印刷または省トナー印刷する印刷工程を備えたことを特徴とする画像形成方法。
【請求項６】
請求項５記載の画像形成方法をコンピュータに実現させるためのプログラム。
【請求項７】
請求項５記載の画像形成方法をコンピュータに実現させるためのプログラムを記録したコンピュータ読み取り可能な記録媒体。
【発明の詳細な説明】
【技術分野】
【０００１】
本発明は、リサイクルトナーを含む複数の色材により画像を印刷する画像形成装置、画像形成方法、プログラムおよび記録媒体に関する。
【背景技術】
【０００２】
電子写真方式のプリンタにおいて、画像形成ステーションの感光体ドラム上に形成されたトナー像のうち、記録媒体（用紙）に転写されずに残留したトナーを、感光体ドラム上や中間転写体上から回収するクリーニング技術がある。また、使用するトナーを節約するために、回収されたトナーを、通常よりも印刷品質に対する要求レベルの低いドラフト印刷の場合に用いる画像形成装置が提案されている（例えば、特許文献１を参照）。
【発明の概要】
【発明が解決しようとする課題】
【０００３】
しかし、従来、カラープリンタにおいて、回収されたトナー（以下、リサイクルトナー）は、一般的にはシアン、マゼンタ、イエロー、ブラックの各色のトナーが混ざるため色味を制御できなかったり、記録媒体の製造時に裁断によって発生し、記録媒体に付着している紙粉も一緒に回収してしまい（仮に、中間転写体を備えたタンデム方式の現像部を持つプリンタでも、感光体部分と記録媒体は完全に隔離されていないので、中間転写体を介してクリーニングしきれなかった紙粉が感光体に付着し、感光体表面から回収されるトナーにも混入してしまう）紙粉の構成成分である炭酸カルシウムなどの成分が原因で、トナーの帯電特性が劣化し、リサイクルトナーで画像を形成しようとすると、現像や転写不良を起こし、網掛けや細線からなるハッチングなどのパターンの違いが分かり難くなってしまうという問題があった。
【０００４】
例えば、図９の棒グラフに示すように、要素ＢとＤが網掛けの場合、ドットが綺麗に形成されないと、パターンの違いが分かり難くなり、凡例との対応付けが難しくなる。
【０００５】
本発明は、上記した課題に鑑みてなされたもので、
本発明の目的は、一度も画像形成に使われていない新しいトナーの使用量を節約するために、リサイクルトナーを用いて印刷する場合であっても、網掛けやハッチングパターンの違いが分かりやすいように印刷する画像形成装置、画像形成方法、プログラムおよび記録媒体を提供することにある。
【課題を解決するための手段】
【０００６】
本発明は、リサイクルトナーを含む複数の色材により画像データを印刷する画像形成装置において、前記画像データを印刷する印刷モードがドラフト印刷または省トナー印刷である場合、前記画像データから第１のパターンを描画する第１の描画命令を抽出する抽出手段と、前記抽出された第１の描画命令を、前記リサイクルトナー用の第２のパターンを描画する第２の描画命令に変換する処理手段と、前記第２の描画命令に基づいて前記リサイクルトナー用の複数のパターンを生成する生成手段と、前記生成された複数のパターンを、前記リサイクルトナーを用いて前記ドラフト印刷または省トナー印刷する印刷手段を備えたことを最も主要な特徴とする。
【発明の効果】
【０００７】
本発明によれば、リサイクルトナーを使用して網掛けや細線によるハッチングを含む画像をドラフト印刷する場合であっても、網掛けやハッチングパターンを、印刷品質が低下してもパターンの違いが分かりやすいように、識別性の高いパターン（線幅が太いハッチングパターン）に変換して印刷するので、網掛けやハッチングパターンの違いが明瞭になる。
【図面の簡単な説明】
【０００８】
【図１】本発明の実施例の画像処理装置の構成を示す。
【図２】図１における画像形成部の構成を示す。
【図３】本発明の実施例の処理フローチャートを示す。
【図４】パターン処理部における処理を説明する図である。
【図５】パターン生成部における処理を説明する図である。
【図６】リサイクルトナー用の画像形成データの生成処理を説明する図である。
【図７】実施例２の入力画像データ例を示す。
【図８】実施例３のハードウェア構成例を示す。
【図９】従来技術を説明する図である。
【発明を実施するための形態】
【０００９】
以下、発明の実施の形態について図面により詳細に説明する。本発明は、入力画像中の網掛けやハッチングパターンオブジェクトを抽出し、抽出されたオブジェクトを、画像品質が劣化してもパターンの違いが分かりやすいようなハッチングパターンへ変換して印刷する。
【実施例１】
【００１０】
実施例１では、リサイクルトナーでドラフト印刷する場合に、網掛けやハッチングを示す描画命令を抽出して除去すると共に、違いが分かりやすいハッチングを新たに付加して印刷する。
【００１１】
図１は、本発明の実施例の画像処理装置の構成を示す。図１において、１はモード指定部、２は領域抽出部、３はパターン処理部、４はパターン生成部、５はレンダリング部、６は色変換部、７は画像形成部である。画像処理装置は、モード指定部１〜色変換部６により構成され、さらに画像形成部７を追加して画像形成装置が構成される。
【００１２】
モード指定部１は、一般的にはコンピュータの表示装置及びマウスなどの入力装置であり、あるいはＭＦＰ（Ｍｕｌｔｉ  Ｆｕｎｃｔｉｏｎ  Ｐｅｒｉｐｈｅｒａｌ）に備えられたタッチパネル式の操作部などであり、通常印刷もしくはドラフト印刷（通常印刷に比べて、低画質の印刷モード）か、トナーセーブ（省トナー）印刷を行うか否か、集約印刷の有無と集約数、変倍印刷の有無と変倍率などを指定する。
【００１３】
領域抽出部２は、入力画像データ中の網掛けやハッチング領域を示す描画命令を抽出すると共に、それら領域の縦横方向の最大サイズを算出する。
【００１４】
パターン処理部３は、領域抽出部２によって抽出された網掛けやハッチング領域の描画命令を除去すると共に、リサイクルトナーにより新たなハッチングパターンを形成する描画命令を付加する。
【００１５】
パターン生成部４は、領域抽出部２によって抽出された網掛けやハッチング領域の情報に基づき、リサイクルトナーで形成するための新たなハッチングパターンを生成する。
【００１６】
レンダリング部５は、パターン処理部３によって網掛けやハッチング領域の描画命令が除去された入力画像データに基づき、画像形成のためのラスターデータを生成すると共に、領域抽出部２による抽出結果とパターン生成部４によって生成されたハッチングパターンに基づき、リサイクルトナーによって形成されるラスターデータを生成する。
【００１７】
色変換部６は、レンダリングされたラスターデータを、画像形成用の信号（ＣＭＹＫ）へ変換すると共に、リサイクルトナーによる画像形成用の信号を付加して画像を形成する場合に、画素毎のトナー消費量が所定値以内に収まるように、総量を制限する処理を行う。
【００１８】
画像形成部７は、色変換部６によって生成されたラスターデータ（ＣＭＹＫ＋α）に基づき、記録媒体（用紙）上へ、通常のＣＭＹＫトナー及びリサイクルトナーを用いて画像を形成する。
【００１９】
図２は、図１における画像形成部７の構成を示す。図２の画像形成部は、第１〜５画像形成部（１０〜１４）、中間転写体１５、画像転写部１６、画像定着部１７、トナー回収部１８などから構成される。
【００２０】
図２において、第１から第４画像形成部（１０〜１３）は、ＣＭＹＫいずれかの版の画像を入力画像からレンダリングされたラスターデータに基づき、中間転写体１５上へ形成する。第５画像形成部１４は、回収されたリサイクルトナーに相当する版の画像を中間転写体１５上へ形成する。
【００２１】
画像転写部１６は、中間転写体１５上のＣＭＹＫ及びリサイクルトナーによって形成された画像を、記録媒体（用紙）上へ転写する。トナー回収部１８は、中間転写体１５から記録媒体へ転写されずに残ったトナーをクリーニング・回収し、リサイクルトナーとして、第５画像形成部１４へと供給するか、廃トナーとして回収容器（図示せず）へ回収する。
【００２２】
図３は、本画像処理装置において、リサイクルトナーによって形成するハッチングパターンを生成するまでの処理フローチャートを示す。
【００２３】
図４（ａ）、（ｂ）は、パターン処理部３における、入力画像中のパターン描画命令の処理を説明する図であり、図４（ｃ）は、パターン処理部３における、リサイクルトナー用のパターン描画命令を付加する処理を説明する図である。図５は、パターン生成部４において、リサイクルトナー用のパターンを生成する処理を説明する図である。
【００２４】
以下、図１〜５を用いて実施例１を具体的に説明する。まず、ユーザーは、ＭＦＰに備えられたタッチパネル式の操作部など用いてドラフト印刷するように指示する（Ｓ１０）。モード指定部１では、ユーザーから印刷の指示がなされると、指示内容がドラフトモードであるか否かを判断する（Ｓ１１）。ドラフトモードでなかった場合には（Ｓ１１でＮＯ）、通常モードで、リサイクルトナーを使わない印刷が行われる。
【００２５】
ドラフトモードであった場合には（Ｓ１１でＹＥＳ）、リサイクルトナーの残量が十分であるかを確認する（Ｓ１２）。残量の確認は、ＣＭＹＫのトナーと同様、ＭＦＰなどの画像形成装置で一般的に用いられる残量検知センサーの出力値などから判断される。回収されたリサイクルトナーの残量が十分でない場合（通常印刷に用いるＣＭＹＫであれば、トナーが充填されたカートリッジの交換が必要な場合）には（Ｓ１２でＮＯ）、リサイクルトナーを使用した印刷は行われず、通常印刷が行われる。
【００２６】
リサイクルトナーの残量が十分であった場合（Ｓ１２でＹＥＳ）、領域抽出部２は、入力画像中の網掛けやハッチングなどのパターンの描画命令を抽出する（Ｓ１３）。図４（ａ）は、ＰＤＬ（Ｐａｇｅ  Ｄｅｓｃｒｉｐｔｉｏｎ  Ｌａｎｇｕａｇｅ、ページ記述言語）で記述された入力画像の例を示している（実際には多くのＰＤＬが存在しており、描画命令はＰＤＬの種類に依存する）。Ｃ３０１のＲｅｃｔＦｉｌｌは矩形描画を示す描画命令で、その後の括弧内に記述されている数値は、描画を開始する縦横それぞれの座標と、描画開始点を起点として描画する矩形の縦横方向の大きさを示している。Ｃ３０２のＨａｔｃｈはＣ３０１で描画された矩形領域にパターンを付加する命令であり、括弧内は、網掛け（点による描画）、点の大きさ、点の間隔を示している。同様に、Ｃ４０２はＣ４０１で描画された矩形領域を、ハッチング（周期的な直線による描画）、線幅１、角度３０度のパターンを付加することを示している。
【００２７】
領域抽出部２は、入力画像データ中の、前述の網掛けのような描画命令が記述された図形領域の位置、大きさ、描画パターンを抽出すると共に、パターンにより描画される領域の縦横方向の最大サイズと何通りのパターンが用いられているかを算出する。この処理は、例えば抽出すべき描画命令を領域抽出部２に設定しておき、入力画像データ中から順次読み込まれる描画命令と比較し、一致した描画命令を抽出することにより実現できる。
【００２８】
図４（ａ）の例では、図形領域の位置及び大きさとして、｛５０，１００，１５，１５｝｛６５，１００，５０，１５｝が抽出され、領域の最大サイズは抽出された領域の縦横の大きさが（１５，１５）（５０，１５）であるので、縦５０、横１５が最大サイズとなる。また、用いられているパターンとしては、Ｃ３０２及びＣ４０２で指定されているパターンが異なるため、２通りのパターンが用いられていると判断する。
【００２９】
領域抽出部２が入力画像データ中の全てのパターンによる描画命令領域を抽出すると（Ｓ１４でＹＥＳ）、パターン処理部３は、入力画像データから図４（ｂ）に示すように、パターンの描画命令を除去すると共に、図４（ｃ）に示すように、新たにリサイクルトナーで形成するパターンの描画命令を付加する（Ｓ１５）。すなわち、図４（ａ）に示す描画命令Ｃ３０２、４０２が図４（ｃ）に示す描画命令Ｃ３０２、４０２に変換される。
【００３０】
図４（ｃ）において、Ｃ３０２で指定されているパターン１とＣ４０２で指定されているパターン２は共に、後述するようにハッチングパターンであり、パターン１とパターン２は、その傾斜角度が異なる。例えば、一方のパターンの傾斜角度が３０度の場合、他方のパターンの傾斜角度を例えば６０度にして、両パターンの識別性を向上させる。
【００３１】
新たな描画命令を付加する際には、除去される描画命令のパターン毎に、パターン番号が指定される。除去前のパターン指定が同一であれば、付加されるパターン番号も同一番号が付与され、全てのパターン描画命令に対して、以上のようなパターンの除去及び付加が行われる（Ｓ１６）。
【００３２】
次に、リサイクルトナーによって形成されるハッチングパターンの生成について説明する。図１のパターン生成部４では、領域抽出部２の抽出結果における縦横方向の最大サイズ（本実施例では、縦５０、横１５）のハッチングパターンを、必要な数（本実施例では２通りのパターン１、２）だけ生成する。まず、必要なパターン数が２通りであるため、ハッチングパターンの角度は０度（水平）と３０度（右上がり）の２通りで生成する。パターンの角度、パターン間の角度の違いは、必ずしも３０度である必要はないが、印刷されたドキュメントを見る際に角度の違いが一見して分かるよう、所定の角度以上（例えば、３０度程度以上）の角度差があることが望ましい。
【００３３】
図５（ａ）は、縦横５０×５０サイズのパターンの生成例であるが、上記の通り５０×１５のパターンが生成される。５０×５０サイズの範囲のうち、リサイクルトナーで画像を形成するドットの決め方であるが、角度３０度の場合、一番左下の頂点を原点とし、右水平方向（ｘ方向とする）を０度として、半時計回り方向への角度を考えると、パターンの傾きはｔａｎ（π＊３０／１８０）≒０．５７７となるため、上垂直方向をｙ方向とし、ｙ＝０．５７７＊ｘ＋０という直線の方程式を考える。そして、ｘに１〜５０の整数を代入し、小数１位を四捨五入した際のｙの値が、ドットを形成するｘ位置に対するｙ位置である。例えば、ｘ＝１であれば、１＊０．５７７＋０＝０．５７７で、四捨五入により１となり、ｘ＝１の位置に対してｙ＝１の位置にパターン形成用のデータが配置される。
【００３４】
１本のパターン形成用のデータが配置されると、周期的な直線を形成するため、ｙ＝０．５７７＊ｘ＋１５、ｙ＝０．５７７＊ｘ＋３０、ｙ＝０．５７７＊ｘ＋４５、ｙ＝０．５７７＊ｘ−１５、ｙ＝０．５７７＊ｘ−３０、ｙ＝０．５７７＊ｘ−４５のように、切片部分が、±（パターンの縦方向のサイズ）の範囲で同様にｘを１〜５０の間で変化させ、パターン形成用のデータを配置する。切片の刻みを１５としているが、この値である必要はなく、パターンを形成した場合に、画像中の、例えばグラフの凡例などの小面積などにおいて、ハッチングパターンを構成する直線が複数本形成されるような間隔であれば、任意の間隔で構わない。
【００３５】
以上の処理が終わると、パターンの識別性を上げるため、パターン内の全ての画素に対し探索を行い、画像形成用のデータが配置されている画素の上下左右にも画像形成用のデータを配置し、直線の線幅が所定の閾値以上となる太らせる処理を行う（図５（ｂ））。これにより、リサイクルトナーを使用するために、画質が多少劣化しても、直線の描画とその角度の分かり難さが解消される。また、図５（ｃ）に示すように、元のパターンに対し直交するパターンを組み合わせたパターンを生成してもよい（Ｓ１７）。
【００３６】
以上のようなパターン生成が終わると（Ｓ１８）、パターン処理部３によって処理された入力画像データから、レンダリング部５は、通常印刷のＣＭＹＫに対応するラスターデータ（ここではＲＧＢデータで、ＣＭＹＫへの変換は色変換部で行う）と、リサイクルトナーを用いた画像形成データを生成する。
【００３７】
図６は、リサイクルトナー用の画像形成データの生成処理を説明する図である。レンダリング部５は、前述の通り、ＣＭＹＫトナーで印刷するための画像データを生成すると共に、リサイクルトナーでハッチングパターンを形成するための画像データを生成する。
【００３８】
図６（ａ）は、記録媒体２１とパターン生成部４によって生成されたハッチングパターン２２、パターン処理部３による処理後の入力データにおける、パターンによる描画が指定されている範囲２３を示す。レンダリング部５は、図６（ａ）のように、各パターン描画領域の端と対応するハッチングパターンの端を一致させ（本実施例では左下）、対象範囲内の画素について、パターンを生成する画像形成用のデータが存在する場合には、画像形成用のデータを発生させ、そうでない領域には発生させない（リサイクルトナーによる画像形成は行わないようにする）。範囲内の全ての画素に対し処理を行った結果２４（リサイクルトナーにより形成された、所定の傾斜角度を有しかつ所定の線幅の周期的な直線のパターン）を図６（ｂ）に示す。
【００３９】
このようにして生成された画像形成用（ＲＧＢ＋リサイクルトナー用）のデータが色変換部６へ送られ、色変換部６では、画像形成用のＲＧＢデータを印刷用のＣＭＹＫデータへ変換する。そして、変換後のＣＭＹＫ＋リサイクルトナー用のデータ（１画素につきＣＭＹＫ＋αの５個の値を持つ）に対し、１画素ずつ、ＣＭＹＫ＋αの合計が所定の総量規制値を上回っていないかを確認し、上回っている場合には、Ｋとリサイクルトナー用のαの値を保ったまま、ＣＭＹの合計を減らす処理を行う。この総量規制処理については、例えば、特許第３９９５７３５号の段落００４９に記載の公知の技術が利用できる。
【００４０】
以上説明した実施例によれば、トナーを節約するために、リサイクルトナーを使用してドラフト印刷する場合に、入力画像中の網掛けハッチングパターン領域を、画質が劣化しても分かり難くならないような、識別性の高いハッチングパターンへ変換して印刷するので、パターンの相違が分かりやすくなる。
【実施例２】
【００４１】
実施例２では、リサイクルトナーで省トナー印刷する場合に、ぬりつぶし領域に対し、ハッチングを新たに付加して印刷する。図７は、塗りつぶし領域を含む入力画像データを説明する図である。
【００４２】
前述の実施例１では、ドラフト印刷する場合に、入力画像中の網掛けやハッチング領域に識別性の高いハッチングパターンを付加して印刷したが、本実施例では、省トナーモードの印刷が指示された場合に、塗りつぶし領域を抽出し、それらの領域に対し、色毎に異なるハッチングパターンを実施例１と同様に付加する。
【００４３】
塗りつぶし領域は、図７のＣ３０１、３０２のような描画命令により形成され、Ｃ３０１では、塗りつぶす色がＲＧＢ値で指定されている。モード指定部１において省トナーモードが指定された場合に、領域抽出部２はＣ３０１、３０２のように図形を描画する命令と塗りつぶし命令が組になっている領域を抽出する。パターン処理部３は、本実施例では元々網掛けなどのパターンが付加されていないため、パターンの除去は行わず、ハッチングパターンの付加のみを行う。
【００４４】
これにより、色分けされたグラフを含むような画像を省トナー印刷する際に、色が薄くなっても、色毎に異なるハッチングパターンを付加しているので、グラフの塗り分けの境界が分かり難くなったり、グラフが読み難くなることが解消される。
【実施例３】
【００４５】
図８は、本発明をソフトウェアで実施する場合の画像処理システムのハードウェア構成例を示す。コンピュータ１１０は、プログラム読取装置１１０ａ、全体を制御するＣＰＵ１１０ｂ、ＣＰＵ１１０ｂのワークエリア等として使用されるＲＡＭ１１０ｃ、ＣＰＵ１１０ｂの制御プログラム等が記憶されているＲＯＭ１１０ｄ、ハードディスク１１０ｅ、ＮＩＣ１１０ｆ、マウス１１０ｇ、キーボード１１０ｈ、画像データを表示したりユーザーが画面に直接触れることで情報の入力が可能なディスプレイ１１１、カラープリンタ等の画像形成装置１１２とを備えている。本画像処理システムは、例えばワークステーションやパーソナルコンピュータ等で実現することができる。
【００４６】
このような構成の場合、図１に示したモード指定部１の機能はマウス１１０ｇやキーボード１１０ｈ、ディスプレイ１１１に持たせることができる。また、領域抽出部２、パターン処理部３、パターン生成部４、レンダリング部５、色変換部６の機能はＣＰＵ１１０ｂに持たせることができ、処理対象の画像データを記憶しておく際には、ＲＡＭ１１０ｃ、ＲＯＭ１１０ｄ、ＤＩＳＫ１１０ｅなどの記憶装置を利用することができる。なお、ＣＰＵ１１０ｂで行われる処理機能は、例えばソフトウェアパッケージ、具体的には、ＣＤ−ＲＯＭや磁気ディスク等の情報記録媒体の形で提供することができ、このため図８に示す例では、情報記録媒体がセットされると、これを駆動する媒体駆動装置（図示せず）が設けられている。
【００４７】
以上により、本発明における画像処理方法は、ディスプレイ等を備えた汎用の計算機システムにＣＤ−ＲＯＭ等の情報記録媒体に記録されたプログラムを読み込ませて、この汎用計算機システムの中央演算装置に画像処理を実行させる装置構成においても実施することが可能である。この場合、本発明の画像処理を実行するためのプログラム、すなわちハードウェアシステムで用いられるプログラムは、記録媒体に記録された状態で提供される。プログラムなどが記録される情報記録媒体としては、ＣＤ−ＲＯＭに限定されず、例えばＲＯＭ、ＲＡＭ、フラッシュメモリ、光磁気ディスクを用いても良い。記録媒体に記録されたプログラムは、ハードウェアシステムに組み込まれている記憶装置、例えばハードディスク１１０ｅにインストールされることにより、このプログラムを実行して、画像処理機能を実現することができる。また、本発明の画像処理方法等を実現するためのプログラムは、記録媒体の形で提供されるのみならず、例えば、ネットワークを介した通信によってサーバから提供されるものでも良い。
【符号の説明】
【００４８】
１  モード指定部
２  領域抽出部
３  パターン処理部
４  パターン生成部
５  レンダリング部
６  色変換部
７  画像形成部
【先行技術文献】
【特許文献】
【００４９】
【特許文献１】特開２００８−１０２４９１号公報
【図１】
2013015709.tif 000003
【図３】
2013015709.tif 000004
【図４】
2013015709.tif 000005
【図５】
2013015709.tif 000006
【図６】
2013015709.tif 000007
【図７】
2013015709.tif 000008
【図８】
2013015709.tif 000009
【図９】
2013015709.tif 000010
【図２】
2013015709.tif 000011